(57)【特許請求の範囲】
【請求項１】
光ディスク用の対物レンズの駆動装置であって、
対物レンズを搭載したレンズホルダと、
前記レンズホルダを弾性支持する導電部材で構成されるサスペンションと、
前記レンズホルダに前記光ディスクの半径方向への推力を発生させるトラッキングコイルと、
前記レンズホルダに発生する前記対物レンズの光軸回りの回転変位を規制する複数の回転変位規制手段とを含み、
第１の回転変位規制手段を、前記光ディスクの接線方向からみて前記レンズホルダの前記トラッキングコイル側の端点に設けると共に、
第２の回転変位規制手段を、前記レンズホルダの前記回転変位の支点となる重心から遠い位置であって、前記対物レンズを挟んで前記第１の回転変位規制手段と接線方向の反対側の端点に併設した、
対物レンズ駆動装置。
【発明の詳細な説明】
【０００１】
【発明の属する技術分野】
本発明は、半導体レーザの光をレンズにより絞った光スポットを照射して光ディスクの記録層に情報を記録もしくは予め記録されている情報を再生・消去する光ディスク装置に用いられる対物レンズ駆動装置に関するものである。
【０００２】
【従来の技術】
図４は、従来の対物レンズ駆動装置を示す構成図である。図４(ａ)は全体構成概略を示す斜視図、図４(ｂ)は矢印Ａから見た対物レンズ駆動装置の矢視図である。図４を用いて、従来の技術を説明する。
【０００３】
図４を構成する１０１は光学基台、１０２は光学素子群、１０３は対物レンズ、１０４はミラー、１０５はレンズホルダ、１０６ａ，１０６ｂ，１０６ｃ，１０６ｄはサスペンション、１０７はサスペンションホルダ、１０８はダンピングゲル、１０９ａ，１０９ｂはマグネット、１１０はアクチュエータベース、１１１はフォーカスコイル、１１２ａ，１１２ｂはトラッキングコイル、１１３ａ，１１３ｂ，１１３ｃ，１１３ｄは端子部、１１４ａ，１１４ｂはストッパである。
【０００４】
以上のように構成された対物レンズ駆動装置について、以下その動作について説明する。レンズホルダ１０５には対物レンズ１０３、トラッキングコイル１１２ａ，１１２ｂ、フォーカスコイル１１１が搭載されている。トラッキングコイル１１２ａの一端はトラッキングコイル１１２ｂの一端と接続されており、トラッキングコイル１１２ａの他端は端子部１１３ｃに、トラッキングコイル１１２ｂの他端は端子部１１３ｄにそれぞれ接続されている。フォーカスコイル１１１の一端は端子部１１３ａに接続されており、他端は端子部１１３ｂに接続されている。レンズホルダ１０５は、レンズホルダ１０５の光ディスクの接線方向の片端に位置する端子部１１３ａ，１１３ｂ，１１３ｃ，１１３ｄの近傍を導電部材で構成される４本のサスペンション１０６ａ，１０６ｂ，１０６ｃ，１０６ｄにより弾性支持されている。サスペンション１０６ａ，１０６ｂ，１０６ｃ，１０６ｄの他端はサスペンションホルダ１０７に固定されている。これらのレンズホルダ１０５、サスペンションホルダ１０７は樹脂材料により構成され、サスペンション１０６ａ，１０６ｂ，１０６ｃ，１０６ｄを内挿成形するよう構成されている。サスペンションホルダ１０７には所定の位置に溜まりが設けられている。この溜まりには、サスペンション１０６ａ，１０６ｂ，１０６ｃ，１０６ｄに減衰機能を付加するためのダンピングゲル１０８が溜められている。サスペンションホルダ１０７はアクチュエータベース１１０の所定の位置に位置決め固定されている。アクチュエータベース１１０にはマグネット１０９ａ，１０９ｂが所定の位置に位置決め固定されている。レンズホルダ１０５に搭載されたトラッキングコイル１１２ａ，１１２ｂならびにフォーカスコイル１１１は、アクチュエータベース１１０とマグネット１０９ａ，１０９ｂとによって磁気回路を構成する。そしてフォーカスコイル１１１に駆動電流を供給することによりレンズホルダ１０５は光ディスクの厚み方向に駆動される。トラッキングコイル１１２ａ，１１２ｂに駆動電流を供給することによりレンズホルダ１０５は光ディスクの半径方向に駆動される。光ディスクの半径方向の変位規制はレンズホルダ１０５のストッパ１１４ａ，１１４ｂとアクチュエータベース１１０とによって行う。アクチュエータベース１１０、光学素子群１０２、ミラー１０４はそれぞれ光学基台１０１の所定の位置に固定配置され、光ピックアップを構成する。光ディスクへの情報の記録・再生時は、光学素子群１０２から発光される光をミラー１０４を介して対物レンズ１０３に入射させ、対物レンズ１０３により絞った光スポットを光ディスクの記録層に照射し、所定のトラックに追従させて行う（例えば、特許文献１参照）。
【特許文献１】
特開平１０−１９８９８６号公報
【０００５】
【発明が解決しようとする課題】
しかしながら従来の対物レンズ駆動装置では、落下等により大きな衝撃が加わった場合に、レンズホルダに光軸回りの回転力が発生し、この回転変位によりレンズホルダを弾性支持するサスペンションが塑性変形するという問題があった。そのため対物レンズに傾きが発生し、光ディスクの記録層上に正しくスポットを形成できず、情報の記録もしくは再生が不可能になるという問題があった。
【０００６】
本発明はかかる点に鑑みて、落下等による大きな衝撃が加わった場合にもレンズホルダを弾性支持するサスペンションを塑性変形させること無く、光ディスクの記録層へ情報を正しく記録・再生できる対物レンズ駆動装置を提供することを目的とする。
【０００７】
【課題を解決するための手段】
上記課題を解決するために本発明の対物レンズ駆動装置は、光ディスクの記録層上にスポットを形成する対物レンズを搭載したレンズホルダと、前記レンズホルダを前記光ディスクの厚み方向ならびに半径方向に移動可能とするよう一端が前記レンズホルダに固定され前記レンズホルダを弾性支持するサスペンションと、前記サスペンションの他端を保持するサスペンションホルダと、磁束を発生させるマグネットと、前記マグネットを所定の位置に配置させ前記サスペンションホルダを所定の位置に位置決め固定するアクチュエータベースと、前記レンズホルダに搭載され前記マグネットと前記アクチュエータベースとの磁気回路により前記レンズホルダに前記光ディスクの厚み方向への推力を発生させるフォーカスコイルと、前記レンズホルダに搭載され前記マグネットと前記アクチュエータベースとの磁気回路により前記レンズホルダに前記光ディスクの半径方向への推力を発生させるトラッキングコイルとを備え、前記レンズホルダに発生する前記対物レンズの光軸回りの回転変位を規制する回転変位規制手段をレンズホルダの重心から遠い位置であって前記対物レンズを挟んで前記重心と反対側に備えた。
【０００８】
【発明の実施の形態】
（実施の形態１）
図１は、第１の発明の実施の形態１の対物レンズ駆動装置を示す構成図である。図１を用いて、図４の従来の対物レンズ駆動装置に対して新たに加えた構成要素を中心にその動作を説明する。図４の従来の対物レンズ駆動装置に対して、新たに設けた１はレンズホルダ１０５に設けたストッパ、２，３はサスペンションホルダ１０７に設けたストッパである。以下、この動作について説明する。
【０００９】
外部衝撃により、レンズホルダ１０５が回転変位した場合にはレンズホルダ１０５は重心回りに回転する。そこで第１の発明の実施の形態１では、図１に示すようにレンズホルダ１０５の回転変位の支点となる重心から遠いレンズホルダ１０５の先端部にストッパ１を、ストッパ１の両端部分のサスペンションホルダ１０７側にストッパ２，３を設ける。
もう一方は、レンズホルダ１０５に設けたストッパ１１４ａ，１１４ｂを併用する。ストッパ１とストッパ２との隙間ｄＣ、ストッパ１とストッパ３との隙間ｄＤはそれぞれ同一隙間を有する。隙間ｄＣ，ｄＤは情報の記録・再生時に必要な対物レンズ１０３の光ディスクの半径方向への所定の可動距離に設定されている。ストッパ１１４ａとアクチュエータベース１１０との隙間ｄＣならびにストッパ１１４ｂとアクチュエータベース１１０との隙間ｄＤも光ディスクの半径方向への所定の可動距離に設定されている。そしてＡ方向への回転変位が発生した場合には、ストッパ１とストッパ３とが接触しストッパ１１４ａとアクチュエータベース１１０が接触して回転変位規制を行う。またＢ方向への回転変位が発生した場合には、ストッパ１とストッパ２とが接触しストッパ１１４ｂとアクチュエータベース１１０が接触して回転変位規制を行い、サスペンション１０６ａ，１０６ｂ，１０６ｃ，１０６ｄの変形を弾性変形領域内とする。
【００１０】
これにより対物レンズ駆動装置に落下等の衝撃が加わり、レンズホルダが光軸回りに回転変位した場合に、レンズホルダとサスペンションホルダに設けられたストッパにより変位規制を行うことでサスペンションの変形を弾性変形領域内とし、レンズホルダに不要な傾きを発生させることなく光ディスクに情報の記録・再生を正しく行うことができる。
【００１１】
（実施の形態２）
次に、第２の発明の実施の形態２について説明する。図２は第２の発明の実施の形態２の対物レンズ駆動装置である。図１の対物レンズ駆動装置に対して、新たに加えた構成要素を中心に説明する。
【００１２】
図１の対物レンズ駆動装置に対して新たに加えた、４はレンズホルダに設けたストッパである。第１の発明の実施の形態１では、レンズホルダ１０５の回転変位を光ディスクの半径方向への所定の可動距離ｄＣ，ｄＤにより規制していたため規制回転変位が大きくなる傾向がある。そのため第２の実施の形態２では、ストッパ１とサスペンションホルダ１０７との間に所定のクリアランスｄＡを設ける。クリアランスｄＡはレンズホルダ１０５の所定の位置に対して、衝撃によりＡ方向に回転変位した場合に、ストッパ１とサスペンションホルダ１０７とが接触し、サスペンション１０６ａ，１０６ｂ，１０６ｃ，１０６ｄの変形量が弾性変形領域内となるよう設定する。一方、ストッパ４とアクチュエータベース１１０との間には、所定のクリアランスｄＢを設ける。クリアランスｄＢはレンズホルダ１０５の所定の位置に対して、衝撃によりＢ方向に回転変位した場合に、ストッパ４とアクチュエータベース１１０とが接触し、サスペンション１０６ａ，１０６ｂ，１０６ｃ，１０６ｄの変形量が弾性変形領域内となるよう設定する。
【００１３】
これにより、対物レンズ駆動装置に落下等の衝撃が加わり、レンズホルダに光軸回りの回転変位が発生した場合に、レンズホルダとサスペンションホルダとに設けたストッパ、ならびにレンズホルダとアクチュエータベースとに設けたストッパにより回転変位を小さく規制し、かつサスペンションの変形を弾性変形領域内としレンズホルダに不要な傾きを発生させることなく光ディスクに情報の記録・再生を正しく行うことができる。
【００１４】
（実施の形態３）
次に、第３の発明の実施の形態３について説明する。図３は実施の形態３の対物レンズ駆動装置である。図４の従来の対物レンズ駆動装置に対して、新たに加えた構成要素を中心に説明する。図４の従来の対物レンズ駆動装置に対して、新たに設けた５，６は突起部、７，８は切り欠き部である。
【００１５】
第２の発明の実施の形態２では対物レンズ駆動装置に衝撃が加わった場合のレンズホルダ１０５の回転変位規制手段として、レンズホルダ１０５にストッパ１，４を設けた。しかしながら、図２に示した変位規制を行うクリアランスｄＡ，ｄＢは微小隙間であり、レンズホルダ１０５の成形・寸法精度ならびにアクチュエータベース１１０とサスペンションホルダ１０７との位置決め精度等によりクリアランスｄＡ，ｄＢの管理が比較的困難となる。
【００１６】
そこで第３の発明の実施の形態３では、切り欠き部７，８はアクチュエータベース１１０に設けられている。切り欠き部７，８はアクチュエータベース１１０にサスペンションホルダ１０７を位置決め固定した際に、切り欠き部７，８に突起部５，６が挿入されるよう位置している。突起部５，６を切り欠き部７，８に挿入した場合に、突起部５，６と切り欠き部７，８との隙間は、それぞれｄＥとなるよう設定されている。そして、外部衝撃によりレンズホルダ１０５が回転変位した場合には突起部５，６が隙間ｄＥ間のみ変位し、サスペンション１０６ａ，１０６ｂ，１０６ｃ，１０６ｄの変形量は弾性変形領域内に変位規制される。
【００１７】
これにより対物レンズ駆動装置に落下等の衝撃が加わり、レンズホルダが光軸回りに回転変位した場合に、レンズホルダに設けた突起部をアクチュエータベースに設けた切り欠き部に挿入し変位規制を行うことにより、サスペンションの変形を弾性変形領域内とし、レンズホルダに不要な傾きを発生させることなく光ディスクに情報の記録・再生を正しく行うことができる。また、レンズホルダの成形・寸法精度ならびにアクチュエータベースとサスペンションホルダとの位置決め精度等によるクリアランスの管理が不要となる。
【００１８】
【発明の効果】
以上説明したように、光ディスクの記録層上にスポットを形成する対物レンズを搭載したレンズホルダと、前記レンズホルダを前記光ディスクの厚み方向ならびに半径方向に移動可能とするよう一端が前記レンズホルダに固定され前記レンズホルダを弾性支持するサスペンションと、前記サスペンションの他端を保持するサスペンションホルダと、磁束を発生させるマグネットと、前記マグネットを所定の位置に配置させ前記サスペンションホルダを所定の位置に位置決め固定するアクチュエータベースと、前記レンズホルダに搭載され前記マグネットと前記アクチュエータベースとの磁気回路により前記レンズホルダに前記光ディスクの厚み方向への推力を発生させるフォーカスコイルと、前記レンズホルダに搭載され前記マグネットと前記アクチュエータベースとの磁気回路により前記レンズホルダに前記光ディスクの半径方向への推力を発生させるトラッキングコイルとを備え、外部衝撃により前記レンズホルダに発生する前記対物レンズの光軸回りの回転変位を規制する回転変位規制手段を備え、回転変位規制手段として、光ディスクの接線方向に対してレンズホルダの両端部に光ディスクの半径方向への変位規制部材を備えることにより、レンズホルダに不要な傾きを発生させることなく光ディスクに情報の記録・再生を正しく行うことができる。
【００１９】
また回転変位規制手段として、レンズホルダの所定の位置に光ディスクの接線方向への変位規制部材を備えることにより、回転変位を小さく規制しサスペンションの変形を弾性変形領域内としレンズホルダに不要な傾きを発生させることなく光ディスクに情報の記録・再生を正しく行うことができる。
【００２０】
また回転変位規制手段として、アクチュエータベースもしくはサスペンションホルダの所定の位置に設けた切り欠き部と、レンズホルダの所定の位置に設けた光ディスクの半径方向への突起部とを備え、前記切り欠き部に前記突起部を挿入させることにより、サスペンションの変形を弾性変形領域内とし、レンズホルダに不要な傾きを発生させることなく光ディスクに情報の記録・再生を正しく行うことができる。また、レンズホルダの成形・寸法精度ならびにアクチュエータベースとサスペンションホルダとの位置決め精度等によるクリアランスの管理が不要となり、その実用効果は大きい。
【図面の簡単な説明】
【図１】第１の発明の実施の形態１の対物レンズ駆動装置の構成図
【図２】第２の発明の実施の形態２の対物レンズ駆動装置の構成図
【図３】第３の発明の実施の形態３の対物レンズ駆動装置の構成図
【図４】従来の対物レンズ駆動装置概略斜視図と対物レンズ駆動装置の構成図
【符号の説明】
１，２，３，４  ストッパ
５，６  突起部
７，８  切り欠き部
【図１】
0004058854.tif 000002
【図２】
0004058854.tif 000003
【図３】
0004058854.tif 000004
【図４】
0004058854.tif 000005